(57)【要約】【課題】  大型ディスプレイにＡＴＭの空き状況を表示することを目的とする。することを目的とする。【解決手段】  ＡＴＭ１は顧客が取引を開始した後でＡＴＭ監視装置２に対して状況内容の情報を送信し、ＡＴＭ監視装置２では受信した特定のＡＴＭの状況内容の情報を大型ディスプレイ制御装置３に送信し、大型ディスプレイ制御装置３ではＡＴＭ監視装置２からの特定のＡＴＭの状況内容の情報に基づいて状況変化のあったＡＴＭ位置を示す状況表示画面を作成し、その状況表示画面を大型ディスプレイ４に表示させるようにしたものである。【選択図】        図１
2005071166.tif 000002
【特許請求の範囲】
【請求項１】
キャッシュコーナに設置され、取扱科目である支払、入金、記帳、振込の少なくとも１つを行うＡＴＭと、
ＡＴＭからその状況内容の情報を受信するＡＴＭ監視装置と、
キャッシュコーナに設置されるディスプレイと、
前記ＡＴＭ監視装置からの特定のＡＴＭの状況内容の情報に基づいて状況変化のあったＡＴＭの位置を示す状況表示画面を作成し、その状況表示画面を前記ディスプレイに表示させるディスプレイ制御装置と、
を備えたことを特徴とするＡＴＭ状態表示システム。
【請求項２】
前記ＡＴＭ監視装置からの特定のＡＴＭの状況内容はＡＴＭの空きの有無を示す使用状態であり、前記状況変化のあったＡＴＭの位置は空きのＡＴＭの位置であることを特徴とする請求項１記載のＡＴＭ状態表示システム。
【請求項３】
前記ＡＴＭ監視装置からの特定のＡＴＭの状況内容はＡＴＭの変更のあった取扱科目の取扱状態であり、前記状況変化のあったＡＴＭの位置は変更された取扱科目の取扱状態となったＡＴＭの位置であることを特徴とする請求項１記載のＡＴＭ状態表示システム。
【請求項４】
前記ＡＴＭ監視装置からの特定のＡＴＭの状況内容はＡＴＭの空きの有無を示す使用状態とＡＴＭの変更のあった取扱科目の取扱状態とを含み、前記状況変化のあったＡＴＭの位置は空きのＡＴＭの位置と変更された取扱科目の取扱状態となったＡＴＭの位置とを含むことを特徴とする請求項１記載のＡＴＭ状態表示システム。
【請求項５】
前記ディスプレイ制御装置は、お知らせコンテンツを予め用意しておき、状況変化のあったＡＴＭの位置を示す状況表示画面とお知らせコンテンツの画面とを前記ディスプレイに一定時間毎に切り替えて表示することを特徴とする請求項１〜４のいずれかに記載のＡＴＭ状態表示システム。
【発明の詳細な説明】
【技術分野】
【０００１】
この発明は、ＡＴＭ状態表示システム、特に大型ディスプレイに現金自動取引装置（以下、ＡＴＭという）の空き状況を表示するようにしたものに関する。
【背景技術】
【０００２】
キャッシュコーナには複数のＡＴＭが設置されており、ＡＴＭを使用しようとする顧客は通常一列縦隊でＡＴＭの空きを待っている。
【発明の開示】
【発明が解決しようとする課題】
【０００３】
しかしながら、キャッシュコーナが広くＡＴＭの台数が多いと、顧客は順番が来た時点でどのＡＴＭが空いているか把握するのが難しいという問題があった。
また、ＡＴＭが取り扱っている取引の取扱科目も、ＡＴＭの近くに行かなければ、分からないことが多いという問題もあった。
【課題を解決するための手段】
【０００４】
本発明のＡＴＭ状態表示システムは、キャッシュコーナに設置され、取扱科目である支払、入金、記帳、振込の少なくとも１つを行う複数のＡＴＭと、各ＡＴＭからその状況内容の情報を受信するＡＴＭ監視装置と、キャッシュコーナに設置されるディスプレイと、前記ＡＴＭ監視装置からの特定のＡＴＭの状況内容の情報に基づいて状況変化のあったＡＴＭの位置を示す状況表示画面を作成し、その状況表示画面を前記ディスプレイに表示させるディスプレイ制御装置とを備えてなるものである。
【発明の効果】
【０００５】
以上のように本発明によれば、各ＡＴＭは顧客が取引を開始した後でＡＴＭ監視装置に対して状況内容の情報を送信し、ＡＴＭ監視装置では受信した特定のＡＴＭの状況内容の情報をディスプレイ制御装置に送信し、ディスプレイ制御装置ではＡＴＭ監視装置からの特定のＡＴＭの状況内容の情報に基づいて状況変化のあったＡＴＭの位置を示す状況表示画面を作成し、その状況表示画面をディスプレイに表示させるので、顧客はディスプレイを見ることによって状況変化のない例えば空いている利用可能なＡＴＭの位置を把握することができる。
【発明を実施するための最良の形態】
【０００６】
実施の形態１．
図１は本発明の実施の形態１のＡＴＭ状態表示システムの構成を示すブロック図、図２はＡＴＭが設置されたキャッシュコーナの見取り図、図３（ａ）は同ＡＴＭ状態表示システムのＡＴＭが送信する使用状態の内容を示す電文例の説明図、図３（ｂ）は同ＡＴＭ状態表示システムのＡＴＭ監視装置が送信する使用状態の内容を示す電文例の説明図、図４は同ＡＴＭ状態表示システムの大型ディスプレイの状況表示画面を示す説明図である。
図において、１はキャッシュコーナに設置され、取扱科目である支払、入金、記帳、振込等を行う複数のＡＴＭ、２は各ＡＴＭ１とオンラインで接続され、各ＡＴＭ１の状況内容の１つである使用状態を監視するＡＴＭ監視装置である。
【０００７】
このＡＴＭ監視装置２は各ＡＴＭ１の使用状態の内容の情報を受信し、状態変化があったＡＴＭ１の番号と使用状態の内容に対応した電文を発信する通信制御部２ａと、各ＡＴＭ１のＡＴＭ番号に対応した電文番号を記憶する記憶部２ｂと、記憶部２ｂから電文番号の呼び出しを行う記憶部制御部２ｃと、各ＡＴＭ１の使用状態の内容の情報を表示するＣＲＴ２ｄと、ＣＲＴ２ｄを表示制御する表示制御部２ｅと、通信制御部２ａ、記憶装置制御部２ｃ及び表示制御部２ｅを制御する主監視制御部２ｆとを有して構成されている。
【０００８】
３はＡＴＭ監視装置２とオンラインで接続され、ＡＴＭ監視装置２からのＡＴＭ番号と使用状態の内容の電文を受け、ＡＴＭの空き状況を大型ディスプレイ４に表示させる大型ディスプレイ制御装置である。
この大型ディスプレイ制御装置３はＡＴＭ監視装置２からのＡＴＭ番号と使用状態の内容の電文を受信する通信制御部３ａと、初期画面の内容を記憶する記憶部３ｂと、記憶部３ｂから初期画面の呼び出しを行う記憶部制御部３ｃと、大型ディスプレイ４を表示制御する表示制御部３ｄと、通信制御部３ａ、記憶部制御部３ｃ及び表示制御部３ｄを制御する主ディスプレイ制御部３ｅとを有して構成されている。
【０００９】
次に、本発明の実施の形態１のＡＴＭ状態表示システムの動作について説明する。
各ＡＴＭ１は、顧客が取引を開始した時点で、ＡＴＭ監視装置２に対し、使用状態の内容の情報の１つである「使用中」の情報を送信し、取引の終了時点で使用状態の内容の情報のもう１つである「未使用」の情報を送信する。その送信は「使用中」又は「未使用」の情報を図３の（ａ）に示すＡＴＭ番号と使用状態の内容を表す電文の形で行われる。
ＡＴＭ監視装置２では、その通信制御部２ａがＡＴＭ１から使用状態の内容の情報である電文を受信すると、主監視制御部２ｆは電文を受信したタイミングで、記憶部制御部２ｃを動作させてＡＴＭ番号に対応した電文番号を記憶部２ｂから呼び出し、図３の（ｂ）に示す通番（電文番号）とＡＴＭ番号と使用状態の内容を表す電文を構築し、通信制御部２ａを介して大型ディスプレイ制御装置３に送信する。
【００１０】
大型ディスプレイ制御装置３では、その通信制御部３ａがＡＴＭ監視装置２から電文を受信すると、主ディスプレイ制御部３ｅは初期画面の画像を電文に基づいて編集し、表示制御部３ｄを介して大型ディスプレイ４に図４に示す特定の空いているＡＴＭ位置を示す状況表示画面を表示させる。
ここでいう初期画面とは、各ＡＴＭ１の状態が「未使用」を表示する画面である。
かかる初期画面は記憶部３ｂに記憶されており、主ディスプレイ制御部３ｅが記憶部制御部３ｃを動作させて記憶部３ｂから呼び出し、表示制御部３ｄを介して大型ディスプレイ４に表示されており、初期画面表示後は主ディスプレイ制御部３ｅが状態変化のあったＡＴＭ番号に対応したＡＴＭ部分の画像を編集し、該当部分を元の画面に上書きするようにしている。
【００１１】
このように、各ＡＴＭ１は顧客が取引を開始及び終了した時点でＡＴＭ監視装置２に対し、使用状態の内容の情報を表す電文を送信し、ＡＴＭ監視装置２ではＡＴＭ１から電文を受信したタイミングで、電文に対応した電文番号を記憶部２ｂから呼び出し、通番（電文番号）とＡＴＭ番号と使用状態の内容を表す電文を構築し、大型ディスプレイ制御装置３に送信し、大型ディスプレイ制御装置３では初期画面の画像を電文に基づいて編集し、特定の空いているＡＴＭ位置を示す状況表示画面を作成し、その状況表示画面を大型ディスプレイ４に表示させるので、顧客は大型ディスプレイ４に表示された状況表示画面を見ることによって利用可能なＡＴＭ位置を把握することができ、便利である。
【００１２】
上記実施の形態１では、大型ディスプレイ制御装置３がＡＴＭ監視装置２から受信した通番とＡＴＭ番号と状態の内容を表す電文に基づいて初期画面の画像を編集し、状況表示画面を作成していたが、ＡＴＭ監視装置２の記憶部２ｂに初期画面を記憶させておき、ＡＴＭ監視装置２の主監視制御部２ｆが通番（電文番号）とＡＴＭ番号と状態の内容を表す電文に基づいて初期画面の画像を編集して状況表示画面を作成し、その後に状況表示画面の情報を大型ディスプレイ制御装置３へ送信し、大型ディスプレイ制御装置３が大型ディスプレイ４に状況表示画面を表示させるようにしてもよいことは勿論である。
【００１３】
実施の形態２．
図５（ａ）は本発明の実施の形態２のＡＴＭ状態表示システムのＡＴＭが送信する取扱科目の取扱状態の内容を示す電文例の説明図、図５（ｂ）は同ＡＴＭ状態表示システムのＡＴＭ監視装置が送信する取扱科目の取扱状態の内容を示す電文例の説明図である。
この実施の形態２のＡＴＭ状態表示システムの構成は実施の形態１と同様であるので、構成を示すブロック図は省略する。
実施の形態１では各ＡＴＭ１がＡＴＭの使用状態の内容を表す電文をＡＴＭ監視装置２に送信するのに対し、実施の形態２では各ＡＴＭ１が立ち上げ時に取扱可能な取扱科目の内容と、その後に変更となった状況内容のもう１つである取扱科目の取扱状態の内容を表す電文をＡＴＭ監視装置２に送信するようにしたものである。ここに取扱可能な取扱科目の取扱状態の内容とは、支払、入金、記帳及び振込の可及び不可、取扱の取扱中及び取扱中止をいう。
【００１４】
次に、本発明の実施の形態２のＡＴＭ状態表示システムの動作について説明する。
各ＡＴＭ１は、立ち上げ時点で、ＡＴＭ監視装置２に対し、取扱可能な取扱科目の内容の情報を送信し、その後、機械の状態が変化して取扱科目が変更となった時、その変更をＡＴＭ監視装置２に送信する。その送信が行われる取扱科目の取扱状態の内容の情報は図５の（ａ）に示すＡＴＭ番号と取扱科目の取扱状態の内容を表す電文の形で行われる。
例えば、通帳記帳部が故障した場合、通帳記帳「不可」の情報を送信し、正常に戻った場合は通帳記帳「可」の情報を送信する。また、取扱が全て不可能となるような障害の場合は、「取扱中止」の情報を送信し、正常に戻った場合は「取扱中」の情報を送信する。
【００１５】
ＡＴＭ監視装置２では、その通信制御部２ａがＡＴＭ１から変更された取扱科目の取扱状態の内容の情報である電文を受信すると、主監視制御部２ｆは電文を受信したタイミングで、記憶部制御部２ｃを動作させてＡＴＭ番号に対応した電文番号を記憶部２ｂから呼び出し、図５の（ｂ）に示す通番（電文番号）とＡＴＭ番号と取扱科目の取扱状態の内容を表す電文を構築し、通信制御部２ａを介して大型ディスプレイ制御装置３に送信する。
大型ディスプレイ制御装置３では、その通信制御部２ａがＡＴＭ監視装置２から電文を受信すると、主ディスプレイ制御部３ｅは初期画面の画像を電文に基づいて編集し、表示制御部３ｄを介して大型ディスプレイ４に図６に示す変更された取扱科目の取扱状態の状況表示画面を表示させる。ここでいう初期画面とは各ＡＴＭ１の取扱科目の全てが「可」で、取扱が「取扱中」を表示する画面である。
【００１６】
かかる初期画面は記憶部３ｂに記憶されており、主ディスプレイ制御部３ｅが記憶部制御部３ｃを動作させて記憶部３ｂから呼び出し、表示制御部３ｄを介して大型ディスプレイ４に表示されており、初期画面表示後は主ディスプレイ制御部３ｅが取扱科目の取扱状態に変更のあったＡＴＭ番号に対応したＡＴＭ部分の画像を編集し、該当部分を元の画面に上書きするようにしている。
【００１７】
このように、各ＡＴＭ１は、立ち上げ時点で、ＡＴＭ監視装置２に対し、取扱可能な取扱科目の取扱状態の内容の情報を送信し、その後、機械の状態が変化して取扱科目の取扱状態が変更となった時、その変更をＡＴＭ監視装置２に送信し、ＡＴＭ監視装置２ではＡＴＭ１から電文を受信したタイミングで、電文に対応した電文番号を記憶部２ｂから呼び出し、通番（電文番号）とＡＴＭ番号と取扱科目の取扱状態の内容を表す電文を構築し、大型ディスプレイ制御装置３に送信し、大型ディスプレイ制御装置３では初期画面の画像を電文に基づいて編集し、ＡＴＭ１ごとの取扱科目の取扱状態を表示する状況表示画面を作成し、その状況表示画面を大型ディスプレイ４に表示させるので、顧客は大型ディスプレイ４の状況表示画面を見ることによって利用可能な取扱科目が分かるＡＴＭと取扱不能なＡＴＭ位置を把握することができる。
【００１８】
実施の形態１は各ＡＴＭの空き状態を表示し、実施の形態２は各ＡＴＭの取扱科目の取扱状態である取扱中や取扱中止の情報を表示するものであったが、図７に示す使用状態の内容と取扱科目の取扱状態の内容とを表す状況表示画面のように各ＡＴＭの空き状態と、取扱科目の取扱状態である例えば取扱中止の情報とを組み合わせて表示させることもできる。この場合、図７の「×利用できません」の表示は、「使用中」または「取扱中止」の状態を示す。
【００１９】
実施の形態３．
図８は本発明の実施の形態３のＡＴＭ状態表示システムの構成を示すブロック図である。
この実施の形態３のＡＴＭ状態表示システムの構成で、実施の形態１と同様の構成はその説明は省略し、相違する構成について説明する。
この実施の形態３では、ＡＴＭ監視装置２と大型ディスプレイ制御装置４との間にハブ５を介して大型ディスプレイ４に表示する画像を編集する画像編集装置６を設けたものである。
この画像編集装置６はＡＴＭ監視装置２からのＡＴＭ番号と使用状態の内容又は取扱科目の取扱状態の内容の電文を受信する通信制御部６ａと、初期画面の内容を記憶する記憶部６ｂと、記憶部６ｂから初期画面の呼び出しを行う記憶部制御部６ｃと、ＣＲＴ６ｄを表示制御する表示制御部６ｅと、通信制御部６ａ、記憶部制御部６ｃ及び表示制御部６ｅを制御する主制御部６ｆとを有して構成されている。
【００２０】
次に、本発明の実施の形態１のＡＴＭ状態表示システムの動作について説明する。
各ＡＴＭ１は、顧客が取引を開始した時点で、ＡＴＭ監視装置２に対し、使用状態の内容の情報の１つである「使用中」の情報を送信し、取引の終了時点で使用状態の内容の情報のもう１つである「未使用」の情報を送信する。その送信は「使用中」又は「未使用」の情報をＡＴＭ番号と使用状態の内容を表す電文の形で行われる。
ＡＴＭ監視装置２では、その通信制御部２ａがＡＴＭ１から使用状態の内容の情報である電文を受信すると、主監視制御部２ｆは電文を受信したタイミングで、記憶部制御部２ｃを動作させてＡＴＭ番号に対応した電文番号を記憶部２ｂから呼び出し、通番（電文番号）とＡＴＭ番号と使用状態の内容を表す電文を構築し、通信制御部２ａを介して画像編集装置６に送信する。
【００２１】
画像編集装置６では、その通信制御部６ａがＡＴＭ監視装置２から電文を受信すると、主制御部６ｆは初期画面の画像を電文に基づいて編集し、表示制御部６ｅを介してＣＲＴ６ｄに特定の空いているＡＴＭ位置を示す状況表示画面を表示させる。
ここでいう初期画面とは、各ＡＴＭ１の状態が「未使用」を表示する画面である。
かかる初期画面は記憶部６ｂに記憶されており、主制御部６ｆが記憶部制御部６ｃを動作させて記憶部６ｂから呼び出し、表示制御部６ｅを介してＣＲＴ６ｄに表示されており、初期画面表示後は主制御部６ｆが状態変化のあったＡＴＭ番号に対応したＡＴＭ部分の画像を編集し、該当部分を元の画面に上書きするようにしたもので、その上書きした画面の画像データは表示制御部６ｅを介してＣＲＴ６ｄに表示されると共に、記憶部制御部６ｃを動作させて記憶部６ｃに記憶される。
【００２２】
そして、大型ディスプレイ制御装置３は、定期的に画像編集装置６の主制御部６ｆに対し通信制御部３ａ及び通信制御部６ａを介してアクセスを行い、画像編集装置６が画像編集中でない場合、主ディスプレイ制御部３ｅが画像編集装置６の記憶部６ｂに記憶されている上書きされた画像データを通信制御部６ａ及び通信制御部３ａを介して読み込み、上書きされた画面を表示制御部３ｄを介して大型ディスプレイ４に表示させる。
以上は、画像編集装置６による実施の形態１で述べたＡＴＭ１の使用状態の内容の情報に基づく電文の編集を述べたが、実施の形態２で述べたＡＴＭ１の取扱科目の取扱状態の内容の情報に基づく電文の編集や、使用状態の内容と取扱科目の取扱状態の内容とを組み合わせた情報に基づく電文の編集も行うことはいうまでもない。
【００２３】
以上の動作は、大型ディスプレイ制御装置３が、定期的に画像編集装置６に対しアクセスを行い、画像編集装置６の記憶部６ｂに記憶されている上書きされた画像データを読み込み、上書きされた画面を表示制御部３ｄを介して大型ディスプレイ４に表示させるものであるが、次のようにすることもできる。
画像編集装置６は画像編集終了後に、ＡＴＭ監視装置２に対して編集終了通知の送信を行い、さらに編集終了通知を受信したＡＴＭ監視装置２が大型ディスプレイ制御装置３に対して編集終了通知を送信する。
そして、編集終了通知を受信した大型ディスプレイ制御装置３が画像編集装置６に対しアクセスを行い、画像編集装置６の記憶部６ｂに記憶されている上書きされた画像データを読み込み、上書きされた画面を表示制御部３ｄを介して大型ディスプレイ４に表示させるようにしてもよい。
【００２４】
また、画像編集装置６が画像編集終了後に、大型ディスプレイ制御装置３に対して編集終了通知を直接に送信し、その編集終了通知を受信した大型ディスプレイ制御装置３が画像編集装置６に対しアクセスを行い、画像編集装置６の記憶部６ｂに記憶されている上書きされた画像データを読み込み、上書きされた画面を表示制御部３ｄを介して大型ディスプレイ４に表示させるようにすることもできる。
さらに、画像編集装置６が画像編集終了後に、その記憶部６ｂに記憶されている上書きされた画像データを大型ディスプレイ制御装置３に対して送信し、その上書きされた画像データを受信した大型ディスプレイ制御装置３が上書きされた画面を表示制御部３ｄを介して大型ディスプレイ４に表示させるようにすることもできる。
【００２５】
実施の形態４．
図９は本発明の実施の形態４のＡＴＭ状態表示システムの構成を示すブロック図である。
この実施の形態４のＡＴＭ状態表示システムの構成で、実施の形態１と同様の構成はその説明は省略し、相違する構成について説明する。
この実施の形態４では、大型ディスプレイ制御装置３の記憶部３ｂにＡＴＭ１の状況表示画像の画像データを記憶させるだけでなく、予め銀行からのお知らせや広告表示等のお知らせコンテンツの画像データを記憶させておく。また、状況表示用とお知らせコンテンツ用の２画面分の画像がメモリされる表示メモリ３ｆを設けたものである。
なお、ここでいう状況表示画面とはＡＴＭ１の使用状態の内容や取扱科目の取扱状態の内容や使用状態の内容及び取扱科目の取扱状態の内容を組み合わせた電文に基づいて初期画面に対して上書きされた画面をいうものとする。
【００２６】
次に、本発明の実施の形態４のＡＴＭ状態表示システムの動作について説明する。
まず、大型ディスプレイ制御装置３の記憶部３ｂにはＡＴＭ１の状況表示画面の画像データとお知らせコンテンツの画像データが記憶させられているから、大型ディスプレイ制御装置３はその主ディスプレイ制御部３ｅは内蔵するタイマを利用して記憶部制御部３ｃを動作させて記憶部３ｂからＡＴＭ１の状況表示画面の画像データとお知らせコンテンツの画像データを一定時間毎に交互に読み込み、表示制御部３ｄを介して大型ディスプレイ４にＡＴＭ１の状況表示画面とお知らせコンテンツの画面の表示を一定時間毎に切り替えるようにしている。
【００２７】
また、状況表示用とお知らせコンテンツ用の２画面分の画像がメモリされる表示メモリ３ｆが設けられているので、主ディスプレイ制御部３ｅが記憶部３ｂに記憶されているＡＴＭ１の状況表示画面の画像データとお知らせコンテンツの画像データを表示メモリ３ｆに記憶させておくことにより、表示制御部３ｄが表示メモリ３ｆに記憶されているＡＴＭ１の状況表示画面の画像データとお知らせコンテンツの画像データを交互に読み込み、大型ディスプレイ４にＡＴＭ１の状況表示画面とお知らせコンテンツの画面の表示を一定時間毎に切り替えることもできる。この場合、ＡＴＭ１の状況表示画像の画像データとお知らせコンテンツの画像データを記憶部３ｂから読み込むより早く切り替えを行うことができる。
【００２８】
このように、大型ディスプレイ４にＡＴＭ１の状況表示画面だけでなく、予め銀行からのお知らせや広告表示等のお知らせコンテンツの画面を交互に表示することにより、顧客に注目され、ＡＴＭ１の状況表示だけでなく、広告宣伝媒体としての役割も果たし、有効利用を図ることができる。
なお、ＡＴＭ１の状況表示画面に対してお知らせコンテンツの画面の表示の時間は決まった時間や一定のインターバルで、或いは混雑していない時間帯等適宜に決定することができることはいうまでもない。
【００２９】
図１０は本発明の実施の形態４のＡＴＭ状態表示システムの変形例の構成を示すブロック図である。
この実施の形態４の変形例のＡＴＭ状態表示システムの構成で、実施の形態４と同様の構成はその説明は省略し、相違する構成について説明する。
この実施の形態４の変形例は、実施の形態４とお知らせコンテンツの提供方法が異なるものである。
この実施の形態４の変形例では、大型ディスプレイ制御装置３の通信制御部３ａに接続されるお知らせコンテンツ配信装置８を設けたものである。
このお知らせコンテンツ配信装置８より種々のお知らせコンテンツの画像データが配信される。大型ディスプレイ制御装置３はその通信制御部３ａよりそれを受信し、主ディスプレイ制御部３ｅは記憶部制御部３ｃを動作させて記憶部３ｂに受信したお知らせコンテンツの画像データを記憶させるようにしたものである。
【００３０】
また、手軽な提供方法としては、図１０に示すようにデータ読込装置３ｇを設けておき、そのデータ読込装置３ｇにお知らせコンテンツの画像データが格納されたＦＤ、ＭＯ、ＣＤ−ＲＯＭ等の記録媒体を挿入し、主ディスプレイ制御部３ｅは記憶部制御部３ｃを動作させてデータ読込装置３ｇが読み込んだお知らせコンテンツの画像データを記憶部３ｂに記憶させることもできる。
【図面の簡単な説明】
【００３１】
【図１】本発明の実施の形態１のＡＴＭ状態表示システムの構成を示すブロック図である。
【図２】ＡＴＭが設置されたキャッシュコーナの見取り図である。
【図３】同ＡＴＭ状態表示システムのＡＴＭとＡＴＭ監視装置がそれぞれ送信する使用状態の内容を示す電文例の説明図である。
【図４】同ＡＴＭ状態表示システムの大型ディスプレイの状況表示画面を示す説明図である。
【図５】本発明の実施の形態２のＡＴＭ状態表示システムのＡＴＭとＡＴＭ監視装置がそれぞれ送信する取扱科目の取扱状態の内容を示す電文例の説明図である。
【図６】同ＡＴＭ状態表示システムの大型ディスプレイの状況表示画面を示す説明図である。
【図７】同ＡＴＭ状態表示システムの大型ディスプレイの別の状況表示画面を示す説明図である。
【図８】本発明の実施の形態３のＡＴＭ状態表示システムの構成を示すブロック図である。
【図９】本発明の実施の形態４のＡＴＭ状態表示システムの構成を示すブロック図である。
【図１０】本発明の実施の形態４の変形例のＡＴＭ状態表示システムの構成を示すブロック図である。
【符号の説明】
【００３２】
１  ＡＴＭ、２  ＡＴＭ監視装置、３  大型ディスプレイ制御装置、４  大型ディスプレイ。
【図１】
2005071166.tif 000003
【図２】
2005071166.tif 000004
【図３】
2005071166.tif 000005
【図４】
2005071166.tif 000006
【図５】
2005071166.tif 000007
【図６】
2005071166.tif 000008
【図７】
2005071166.tif 000009
【図８】
2005071166.tif 000010
【図９】
2005071166.tif 000011
【図１０】
2005071166.tif 000012